(57)【特許請求の範囲】
【請求項１】
幼児が抱き人形と遊ぶ際に使用され、生活習慣のトレーニング用の音声出力遊具において、
前記抱き人形と併用される遊具本体部と、
前記遊具本体部に設けられ、生活習慣に関する前記幼児の遊び動作に対応して作動するように構成されたスイッチ部と、
前記遊具本体部に設けられ、前記スイッチ部が作動したときに当該スイッチ部に対応する音声を出力する音声出力部と、を備え、
前記音声出力遊具は、トイレトレーニング用の音声出力遊具であって、
前記遊具本体部は、便座部及びタンク部を有する水洗洋式トイレ遊具であり、
前記スイッチ部は、
前記便座部に設けられ、該便座部に前記抱き人形を座らせた際に作動する第１スイッチ部と、
前記タンク部に設けられ、押圧操作により作動する第２スイッチ部と、を有し、
前記音声出力部は、
前記第１スイッチ部が作動したとき、用便行為に関する複数の音声のうちの１つを第１音声として出力し、
前記第２スイッチ部が作動したとき、トイレの排水音を有する音声を第２音声として常に最後まで出力し、
前記第１音声の出力中に前記第２スイッチ部が作動したとき、前記第１音声を停止して前記第２音声を出力することを特徴とする音声出力遊具。
【発明の詳細な説明】
【技術分野】
【０００１】
本発明は、音声出力遊具に関し、特に、幼児が抱き人形と遊ぶ際に使用される生活習慣トレーニング用の音声出力遊具に関する。
【背景技術】
【０００２】
従来の音声出力遊具としては、縫いぐるみと併用される装置本体と、縫いぐるみを保持する保持部と、保持部で保持した縫いぐるみを動作させる作動機構と、音声を出力する音声装置と、を備えたものが知られている（例えば、特許文献１参照）。この音声出力遊具では、作動機構及び音声装置を縫いぐるみ内部に設けるのではなく装置本体に設けることで、例えば縫いぐるみの感触が不自然、持ち歩き難い、屋外に持ち出した場合故障の原因となる、及びクリーニングが困難等の問題を解決することが図られている。
【０００３】
また、この引用文献１に記載された音声出力遊具では、注射器遊具の先端に設けられたスイッチ部を縫いぐるみに押しつける等してスイッチ部を作動させると、作動機構が一定時間作動すると共に音声装置から音声が出力される。これにより、音声と縫いぐるみの動作とを組み合わせ、よりリアル感のある縫いぐるみを実現することが図られている。
【先行技術文献】
【特許文献】
【０００４】
【特許文献１】特開平１０−１６５６５６号公報
【発明の概要】
【発明が解決しようとする課題】
【０００５】
ここで、近年の音声出力遊具としては、考える又は表現することを通じて幼児の知能発達を促すことができる知育用のものが要求されている。かかる要求の中、上述したような音声出力遊具としては、単に「お世話行為」を体得させ得るものではなく、躾によって嫌々に身に付けるような生活習慣を、成長過程にある幼児に対し訓練ではなく遊びの中で自然にトレーニングさせて体得させ得るものが特に求められている。
【０００６】
そこで、本発明は、幼児に対して遊びの中で自然に生活習慣をトレーニングさせることができる音声出力遊具を提供することを課題とする。
【課題を解決するための手段】
【０００７】
上記課題を解決するため、本発明に係る音声出力遊具は、幼児が抱き人形と遊ぶ際に使用され、生活習慣のトレーニング用の音声出力遊具において、抱き人形と併用される遊具本体部と、遊具本体部に設けられ、生活習慣に関する幼児の遊び動作に対応して作動するように構成されたスイッチ部と、遊具本体部に設けられ、スイッチ部が作動したときに当該スイッチ部に対応する音声を出力する音声出力部と、を備えたことを特徴とする。なお、「抱き人形」とは、例えば２〜３歳の幼児（特に、女児）が親になりきって抱っこしたりお世話したりする人形（人間の形に作ったもの）を意味し、その大きさは、親と赤ちゃんとの間のバランスと同程度のバランスを幼児に対して有するものである。
【０００８】
この本発明の音声出力遊具では、幼児が抱き人形を用いて遊ぶ際、生活習慣に関する幼児の遊び動作に対応して、音声出力部から音声が出力される。よって、幼児は、遊んでいる抱き人形とあたかも会話をしているかの如き感を得ることができると共に、抱き人形との間で深いスキンシップを図ることが可能となり、その結果、抱き人形を通じて、身に付けるべき生活習慣を訓練としてではなく遊びの中で自然にイメージすることができる。従って、本発明によれば、幼児に対して遊びの中で自然に生活習慣をトレーニングさせることが可能となる。
【０００９】
また、トイレトレーニング用の音声出力遊具であって、遊具本体部は、便座部及びタンク部を有する水洗洋式トイレ遊具であり、スイッチ部は、便座部に設けられ、該便座部に抱き人形を座らせた際に作動する第１スイッチ部と、タンク部に設けられ、押圧操作により作動する第２スイッチ部と、を有し、音声出力部は、第１スイッチ部が作動したとき、用便行為に関する複数の音声のうちの１つを第１音声として出力し、第２スイッチ部が作動したとき、トイレの排水音を有する音声を第２音声として常に最後まで出力し、第１音声の出力中に第２スイッチ部が作動したとき、第１音声を停止して第２音声を出力することが好ましい。
【００１０】
この音声出力遊具においては、幼児は、抱き人形と対話しつつ該抱き人形のトイレの世話をするように遊ぶことができる。このとき、トイレで用を足す際の適正なイメージを、抱き人形を通じて幼児が好適に得ることができるため、幼児に体得させるのに親が苦労するようなトイレ習慣を、幼児に対して遊びの中で自然にトレーニングさせることが可能となる。
【００１１】
また、遊具本体部としてのブラシ遊具と、歯磨剤容器遊具とを備えた歯磨きトレーニング用の音声出力遊具であって、遊具本体部は、ブラシ遊具を有しており、スイッチ部は、ブラシ遊具に設けられ、押圧操作により作動し、音声出力部は、スイッチ部が作動したとき、歯磨き行為に関する複数の音声のうちの１つを出力し、歯磨剤容器遊具の内部には、歯磨剤を模した歯磨剤パーツが歯磨剤容器遊具の外部へ出没可能に設けられていることが好ましい。
【００１２】
この音声出力遊具では、抱き人形と対話しつつ該抱き人形の歯磨きの世話をするように遊ぶことができる。このとき、歯磨きをする際の適正なイメージを、抱き人形を通じて幼児が好適に得ることができるため、幼児に体得させるのに親が苦労するような歯磨き習慣を、幼児に対して遊びの中で自然にトレーニングさせることが可能となる。
【発明の効果】
【００１３】
本発明によれば、幼児に対して遊びの中で自然に生活習慣をトレーニングさせることが可能となる。
【図面の簡単な説明】
【００１４】
【図１】本発明の第１実施形態に係る音声出力遊具を示す斜視図である。
【図２】（ａ）は図１の音声出力遊具を示すブロック図であり、（ｂ）は図１の音声出力遊具の使用時を説明するための図である。
【図３】本発明の第２実施形態に係る音声出力遊具を示す斜視図である。
【図４】（ａ）は図３の音声出力遊具の使用時を説明する図であり、（ｂ）は図４（ａ）の続きを示す図である。
【発明を実施するための形態】
【００１５】
以下、添付図面を参照して、本発明の好適な実施形態について詳細に説明する。なお、以下の説明において、同一又は相当要素には同一符号を付し、重複する説明を省略する。また、「上」「下」「前」「後」の語は、音声出力遊具の上下方向、前後方向にそれぞれ対応するものである。
【００１６】
（第１実施形態）
まず、本発明の第１実施形態について説明する。図１は本発明の第１実施形態に係る音声出力遊具を示す斜視図であり、図２（ａ）は図１の音声出力遊具を示すブロック図であり、図２（ｂ）は図１の音声出力遊具の使用時を説明するための図である。
【００１７】
図１に示すように、本実施形態の音声出力遊具１０は、幼児が抱き人形Ｐ（図２（ｂ）参照）と遊ぶ際に使用される知育用のものであって、幼児が身に付けるべき生活習慣をイメージトレーニングさせる生活習慣トレーニング用遊具である。この音声出力遊具１０は、抱き人形Ｐを用いた幼児の生活習慣に関する遊び動作に対応して音声を出力し、当該生活習慣の適正なイメージを幼児に対し自然に与える。ここでの音声出力遊具１０は、抱き人形Ｐと併用される遊具本体部として水洗洋式トイレ遊具２を備えたトイレトレーニング用のものである。
【００１８】
「抱き人形」とは、対象幼児を２〜３歳の幼児（特に、女児）とする人形（人間の形に作ったもの）であり、幼児が親になりきって抱っこしたりお世話したりするものである。つまり、抱き人形は、幼児にとっての妹や弟（赤ちゃん）を想定する。抱き人形の大きさは、親と赤ちゃんとの間の大きさバランスと同程度の大きさバランスを幼児に対して有しており、約３０ｃｍ程度となっている。例えば、抱き人形としては、ぽぽちゃん（商品名、ピープル株式会社製、登録商標）が用いられる。
【００１９】
水洗洋式トイレ遊具２は、その概略外形寸法が縦１７５ｍｍ、横１２０ｍｍ、高さ１００ｍｍとされている。この水洗洋式トイレ遊具２は、抱き人形Ｐとの接触で該抱き人形Ｐに悪影響を及ぼさない素材の樹脂で形成されており、ここでは、ＰＣＶに対し耐性を有する樹脂が採用されている。水洗洋式トイレ遊具２は、便座部３及びタンク部４を有している。
【００２０】
便座部３は、抱き人形Ｐを座らせる部位であり、水洗洋式トイレの便座を模した形状を呈している。この便座部３上には、補助便座を模した環状形状を呈する補助便座パーツ５が設けられている。補助便座パーツ５の前側中央は、上方に曲面状に隆起する膨出部５ｘを有している。また、便座部３には、該便座部３を開閉可能とする蓋６が取り付けられている。タンク部４は、便座部３の後側に設けられ、水洗洋式トイレの貯水タンクを模した形状を呈している。
【００２１】
また、図１，２（ａ）に示すように、音声出力遊具１０は、音声を出力させる構成として、スイッチ部７及び音声出力部８を備えている。スイッチ部７は、生活習慣に関する幼児の遊び動作に対応して作動するよう水洗洋式トイレ遊具２に設けられており、便座スイッチ（第１スイッチ部）７ｘ及び水洗レバースイッチ（第２スイッチ部）７ｙを含んでいる。
【００２２】
便座スイッチ７ｘは、便座部３に設けられている。具体的には、便座スイッチ７ｘは、便座部３と補助便座パーツ５との間において前側中央位置に設けられている。この便座スイッチ７ｘは、通常時には、非作動状態（ＯＦＦ）とされていると共に、抱き人形Ｐの重さ（例えば、２４６ｇ）以上の重さに相当する荷重が上方から負荷されたときに作動する（ＯＮとなる）。すなわち、便座スイッチ７ｘは、抱き人形Ｐを便座部３に座らせないときにはＯＦＦである一方、座らせたときにＯＮとなる。
【００２３】
水洗レバースイッチ７ｙは、タンク部４の側面に設けられている。この水洗レバースイッチ７ｙは、押圧操作によりＯＮとなる。具体的には、水洗レバースイッチ７ｙは、通常時にはＯＦＦとされていると共に、下方へ移動するように押圧することによってＯＮとなる。
【００２４】
音声出力部８は、水洗洋式トイレ遊具２に設けられており、音声ＩＣ８ｘ、メモリ８ｙ及びスピーカ８ｚを備えている。この音声出力部８は、作動状態のスイッチ部７に対応して音声（ＩＣ音）を出力する。具体的には、音声出力部８においては、便座スイッチ７ｘ又は水洗レバースイッチ７ｙの何れか一方がＯＮとなったとき、このＯＮとなった一方に対応する音声データを音声ＩＣ８ｘがメモリ８ｙから呼び出して増幅し、スピーカ８ｚから外部へ出力する（より詳しくは後述する）。
【００２５】
メモリ８ｙには、出力するべき音声に関する複数の音声データが、スイッチ部７と関連付けられて予め記憶されている。ここでは、下表１に示すように、便座スイッチ７ｘについては、用便行為に関する複数（３つ）の音声に関する音声データが記憶され、水洗レバースイッチ７ｙについては、トイレの排水音を有する音声に関する音声データが記憶されている。このメモリ８ｙとしては、例えば半導体記憶装置が用いられている。
【表１】
0005483577.tif 000002
【００２６】
スピーカ８ｚは、タンク部４内にて後方へ音声出力可能に配置されている。なお、音声出力部８では、スピーカ８ｚから出力する音声の音量が、好ましいとして７５ｄＢ±５ｄｂの範囲とされている。
【００２７】
以上のように構成された音声出力遊具１０では、図２（ａ），（ｂ）に示すように、幼児５０が抱き人形Ｐと共に遊ぶ場合、抱き人形Ｐがあたかも水洗洋式トイレ遊具２で用を足すように幼児５０に使用される。
【００２８】
すなわち、まず蓋６が開けられ、便座部３の補助便座パーツ５上に抱き人形Ｐが座らせられる。これにより、抱き人形Ｐの重さによって補助便座パーツ５が下方へと押圧され、便座スイッチ７ｘがＯＮとなる。
【００２９】
そして、便座スイッチ７ｘがＯＮとなったとき、音声ＩＣ８ｘにより、メモリに８ｙに記憶された用便行為に関する複数の音声データのうち何れか１つがランダム又は順番に選択され、選択された音声データに相当する音声がスピーカ８ｚから外部へ第１音声として出力される。この第１音声の出力によって、幼児５０は、トイレ中の抱き人形Ｐが話しているような想像をし、その会話内容に応じて抱き人形Ｐと会話し合ったり等の行動がなされることとなる。
【００３０】
その後、トイレで用を足した後に排水するのと同様にして、水洗レバースイッチ７ｙが下方側へと押圧され、水洗レバースイッチ７ｙがＯＮとなる。水洗レバースイッチ７ｙがＯＮとなったとき、音声ＩＣ８ｘにより、メモリ８ｙに記憶されたトイレの排水音に関する音声データが選択され、選択された音声データに相当する音声がスピーカ８ｚから外部へ第２音声として出力される。
【００３１】
ここで、水洗レバースイッチ７ｙが作動されて第２音声が出力中のときには、抱き人形Ｐが補助便座パーツ５に座らせられて便座スイッチ７ｘが作動されても、出力されている第２音声は停止されることなくそのまま最後まで出力される。また、第２音声の出力中に水洗レバースイッチ７ｙが再び作動されても（押圧され直されても）、出力されている第２音声は停止されることなくそのまま最後まで出力される。つまり、水洗レバースイッチ７ｙが一旦ＯＮとなったとき、第２音声が常に最後まで（途切れることなく）出力される。
【００３２】
一方、便座スイッチ７ｘが作動されて第１音声が出力中のときには、水洗レバースイッチ７ｙが押圧されて水洗レバースイッチ７ｙが作動されると、出力されている第１音声が停止されて第２音声が出力される。また、第１音声の出力中にて、例えば抱き人形Ｐが補助便座パーツ５に座り直され便座スイッチ７ｘが再作動されると、出力されている第１音声が停止され（途切れ）、第１音声がまた最初から出力される。
【００３３】
以上、本実施形態の音声出力遊具１０では、生活習慣に関し幼児５０が遊んでいる抱き人形Ｐとあたかも会話をしているかの如き感を与えることができ、成長過程にある幼児５０に対しあらゆる想像力を与えることが可能となる。そして、幼児５０と抱き人形Ｐとの間で深いスキンシップが可能となる。
【００３４】
その結果、本実施形態では、抱き人形Ｐを通じて、「世話をする行為（お世話行為）を覚える」等の知育効果を幼児５０に好適に与えることができるのに加え、身に付けるべき生活習慣を訓練としてではなく遊びの中で自然にイメージすることができるのである。従って、本実施形態によれば、幼児５０に対して遊びの中で自然に且つ好適に生活習慣をトレーニングさせることが可能となる。ひいては、幼児５０は、通常は躾によって嫌々に身に付ける生活習慣を、遊びながらにして自ずと体得することができる。
【００３５】
なお、近年、脳科学分野では、幼い頃から赤ちゃんに接する場合、親性行動促進（プロラクチン）ホルモンの分泌が促されることが研究されている。この親性行動促進ホルモンによれば、可愛がったり愛しいと思ったりすることができる大脳の形成が促され、将来、良き親となる心（いわゆる、幼い母性）が形成されるのである。この点において、本実施形態では、上述したように、抱き人形Ｐが赤ちゃんとして世話するように遊ばれ、世話をする行為を覚える知育効果が発揮されるため、特に有効なものといえる。
【００３６】
また、特に本実施形態では、抱き人形Ｐと対話しつつ該抱き人形Ｐのトイレの世話をするような生活習慣に係る遊び動作でもって幼児５０が遊ぶことができる。よって、「トイレのお世話をするのを覚える」という知育効果を幼児５０に好適に与えることができるのに加え、トイレで用を足す際の適正なイメージを幼児５０が好適に得ることができ、体得させるのに親が苦労するようなトイレ習慣を、幼児５０に対して遊びの中で自然にイメージさせトレーニングさせることが可能となる。
【００３７】
また、本実施形態では、上述したように、便座スイッチ７ｘが便座部３と補助便座パーツ５との間において前側中央位置に設けられている。このように前側中央位置に便座スイッチ７ｘが設けることにより、座位状態の抱き人形Ｐの重心位置を考慮し、座位状態の抱き人形Ｐの重量を便座スイッチ７ｘへ確実に負荷させることができる。つまり、便座スイッチ７ｘは、抱き人形Ｐを座位状態で補助便座パーツ５上に載せたときに作動し易く、それ以外では作動し難く構成されているといえる。
【００３８】
また、本実施形態では、上述したように、第１音声が出力中のときには、水洗レバースイッチ７ｙが作動されると第１音声が停止されて第２音声が出力される一方、第２音声が出力中のときには、便座スイッチ７ｘが作動されたとしても第２音声が常に最後まで出力される。このように、第１及び第２音声の出力に優先度を設けることで、より実際に近いトイレ状況をシミュレートでき、幼児５０に対しトイレ習慣を適切にイメージさせることが可能となる。
【００３９】
（第２実施形態）
次に、本発明の第２実施形態について説明する。なお、本実施形態の説明においては、上記第１実施形態と異なる点について主に説明する。
【００４０】
図３（ａ），（ｂ）は本発明の第２実施形態に係る音声出力遊具のブラシ遊具、歯磨剤容器遊具を示す各斜視図であり、図３（ｂ）は図３の音声出力遊具の使用時を説明する図であり、図４（ｂ）は図４（ａ）の続きを示す図である。図３（ａ）に示すように、本実施形態の音声出力遊具２０は、抱き人形Ｐと併用される遊具本体部としてブラシ遊具２１を備えた歯磨きトレーニング用のものである。ブラシ遊具２１は、歯ブラシを模した形状を呈しており、その先端部にブラシ部２１ｘを有している。
【００４１】
この音声出力遊具２０は、図３（ｂ）に示すように、ブラシ遊具２１と併用されるものとして歯磨剤容器遊具２２をさらに備えている。歯磨剤容器遊具２２は、チューブ型の歯磨剤容器を模した形状を呈しており、容器本体２２ｘに蓋部２２ｙが着脱可能に固定されている。
【００４２】
この歯磨剤容器遊具２２は、図４（ａ）に示すように、蓋部２２ｙが外された状態で吐出口２３が下方側に（逆さまに）されたとき、歯磨剤を模した円柱状の樹脂からなる歯磨剤パーツ２４が吐出口２３から出没可能に構成されている。つまり、歯磨剤容器遊具２２は、あたかも容器本体２２ｘ内から歯磨剤から出てくるかのようになっている。
【００４３】
また、音声出力遊具２０は、スイッチ部７として、ボタンスイッチ２５を備えている。ボタンスイッチ２５は、押圧操作により作動する（ＯＮとなる）ものであり、ブラシ遊具２１の長手方向中央に設けられている。ここでのボタンスイッチ２５は、ブラシ遊具２１の基端側を右手で把持したときに該右手の親指に対応する位置に設けられている。このボタンスイッチ２５は、通常時にはＯＦＦとされていると共に、内部へ埋入するよう押圧することによってＯＮとなる。
【００４４】
メモリ８ｙには、下表２に示すように、ボタンスイッチ２５ついて、歯磨き行為に関する複数（２つ）の音声に関する音声データが記憶されている。
【表２】
0005483577.tif 000003
【００４５】
以上のように構成された音声出力遊具２０では、図４（ａ），（ｂ）に示すように、幼児５０が抱き人形Ｐと共に遊ぶ場合、抱き人形Ｐの歯をブラシ遊具２１で磨くように幼児に使用される。
【００４６】
すなわち、図４（ａ）に示すように、まず、歯磨剤を歯ブラシに付けるかのように、歯磨剤容器遊具２２の歯磨剤パーツ２４がブラシ遊具２１に当てられる。具体的には、蓋部２２ｙが開けられ、歯磨剤容器遊具２２の吐出口２３が下方側にされて歯磨剤パーツ２４が出没され、この状態で、出没された歯磨剤パーツ２４がブラシ遊具２１のブラシ部２１ｘに当てられる。
【００４７】
続いて、図４（ｂ）に示すように、ブラシ遊具２１のブラシ部２１ｘが抱き人形Ｐの歯（口）に当てられると共に、ボタンスイッチ２５（図３（ａ）参照）が押圧され、ボタンスイッチ２５がＯＮとなる。ボタンスイッチ２５がＯＮとなったとき、音声ＩＣ８ｘにより、メモリに８ｙに記憶された歯磨き行為に関する複数の音声データが交互又はランダムに選択され、選択された音声データに相当する音声がスピーカ８ｚから外部へ出力される。この音声出力によって、幼児５０は、歯磨きされた抱き人形Ｐが話しているような想像をし、その会話内容に応じて抱き人形Ｐと会話し合ったり等の行動がなされることとなる。
【００４８】
ここで、ボタンスイッチ２５が一旦ＯＮとなると、その後にボタンスイッチ２５から手を放しても、音声が常に最後まで出力される。また、音声出力中のときには、ボタンスイッチ２５が再度ＯＮとされても、出力中の音声は停止されることなくそのまま最後まで出力される。
【００４９】
以上、本実施形態の音声出力遊具２０においても、幼児５０に対して、遊びの中で自然に且つ好適に生活習慣をトレーニングさせることが可能となる。
【００５０】
また、特に本実施形態では、抱き人形Ｐと対話しつつ該抱き人形Ｐの歯磨きの世話をするような生活習慣に係る遊び動作でもって幼児５０が遊ぶことができる。よって、「歯磨きの世話をするのを覚える」という知育効果を幼児５０に好適に与えることができるのに加え、歯磨きをする際の適正なイメージを幼児５０が好適に得ることができ、体得させるのに親が苦労するような歯磨き習慣を、幼児５０に対して遊びの中で自然にイメージさせトレーニングさせることが可能となる。
【００５１】
また、本実施形態では、上述したように、歯磨剤容器遊具２２の吐出口２３が下方側にされたときに歯磨剤パーツ２４が吐出口２３から出没可能に構成されており、幼児５０が遊ぶ際、歯磨剤を歯ブラシに付けるかのように歯磨剤パーツ２４がブラシ部２１ｘに当てられる。よって、より実際に近い歯磨き状況をシミュレートでき、幼児５０に対し歯磨き習慣を適切にイメージさせることが可能となる。
【００５２】
以上、本発明の好適な実施形態について説明したが、本発明に係る音声出力遊具は、実施形態に係る上記音声出力遊具１０，２０に限られるものではなく、各請求項に記載した要旨を変更しない範囲で変形し、又は他のものに適用したものであってもよい。
【００５３】
例えば、上記第１実施形態では、２つのスイッチ部７が設けれ、上記第２実施形態では、１つのスイッチ部７が設けられているが、スイッチ部の数は３つ以上でもよい。この場合、音声出力部では、３つ以上のスイッチ部のそれぞれに対応した音声が出力されればよい。なお、出力する音声の内容は上記のものに限定されず、種々の内容の音声であってもよい。
【００５４】
また、上記実施形態では、トイレトレーニング用及び歯磨きトレーニング用の遊具に本発明が適用されているが、本発明はこれに限定されるものではない。本発明は、例えば抱き人形と併用される生活習慣トレーニング用の様々な遊具（例えばベッド遊具、ベビーカー遊具、スプーン遊具等）に適用することができる。
【符号の説明】
【００５５】
２…水洗洋式トイレ遊具（遊具本体部）、７…スイッチ部、７ｘ…便座スイッチ（第１スイッチ部）、７ｙ…水洗レバースイッチ（第２スイッチ部）、８…音声出力部、８ｘ…音声ＩＣ（音声出力部）、８ｙ…メモリ（音声出力部）、８ｚ…スピーカ（音声出力部）、１０，２０…音声出力遊具、２１…ブラシ遊具（遊具本体部）、２２…歯磨剤容器遊具、２４…歯磨剤パーツ、２５…ボタンスイッチ（スイッチ部）、５０…幼児、Ｐ…抱き人形。
【図１】
0005483577.tif 000004
【図２】
0005483577.tif 000005
【図３】
0005483577.tif 000006
【図４】
0005483577.tif 000007